(57)【要約】【課題】隔壁部を開通させない状態では開封することができず、しかも、外装袋内で動いても、外装袋にピンホールが発生しにくい複槽薬剤バッグ封緘体及びその包装体を提供する。【解決手段】異なる薬液がそれぞれ収容された二つの薬液収容室１２ａ、１２ｂを相互に連通可能な隔壁部１３ｂを介して連結してなるバッグ本体１１と、このバック本体１１における一方の薬液収容室１２ａに装着された注出用口栓１４とからなる二槽薬液バッグ１０と、この二槽薬液バッグ１０における注出用口栓１４が装着された薬液収容室１２ａに、注出用口栓１４側から被せて加熱収縮させることによって封緘する袋状の封緘材２０とを備えている。封緘材２０は、隔壁部１３ｂを越えて、反対側の薬剤収容室１２ｂを１０ｍｍ以上覆っており、隔壁部１３ｂ及びその周辺部に対応する部分だけが熱収縮し、その開口端は、保形性の乏しい薬剤収容室１２ｂを幅方向に押えて変形させている。【選択図】        図１
2008284125.tif 000002
【特許請求の範囲】
【請求項１】
異なる薬剤が収容される複数の薬剤収容室及び隣接する前記薬剤収容室を相互に連通可能に連結する隔壁部を有する柔軟なバッグ本体と、このバック本体における一端側の前記薬剤収容室に装着された注出用口部材とを有し、投薬する際は、前記隔壁部を開通させてそれぞれの前記薬剤収容室に収容された異なる薬剤を混合し、前記バック本体における前記注出用口部材が装着されていない他端側の前記薬剤収容室の外側に形成された吊下穴に引っかけて吊り下げた状態で、混合薬剤を前記注出用口部材から注出するようになっている複槽薬剤バッグにおける一端側の前記薬剤収容室または他端側の前記薬剤収容室に、前記注出用口部材または前記吊下穴を覆うように、袋状または筒状の封緘材を被せて加熱収縮させた複槽薬剤バッグ封緘体において、
前記複槽薬剤バッグにおけるいずれか一方の前記薬剤収容室に被せた前記封緘材が、前記隔壁部を越えて、反対側の前記薬剤収容室の一部を覆っていることを特徴とする複槽薬剤バッグ封緘体。
【請求項２】
請求項１に記載の複槽薬剤バッグ封緘体を、前記隔壁部で二つ折りした状態で、ガスバリア性を有する外装袋に密封包装したことを特徴とする包装体。
【発明の詳細な説明】
【技術分野】
【０００１】
この発明は、同時に配合すると経時変化を起こすような不安定な薬剤等（液剤、粉末剤または固形剤）が二槽に分かれて封入されており、投薬時に隔壁を開通して使用する二槽バッグ製剤等の複槽薬剤バッグを封緘材によって封緘した複槽薬剤バッグ封緘体及びその包装体に関する。
【背景技術】
【０００２】
この種の複槽薬剤バッグとしては、例えば、図１０（ａ）、（ｂ）に示すように、異なる薬液がそれぞれ収容された二つの薬液収容室５２ａ、５２ｂを相互に連通可能な隔壁部５３ｂを介して連結してなるバッグ本体５１と、このバック本体５１における一方の薬液収容室５２ｂに装着された注出用口栓５４とからなる二槽薬液バッグ５０が一般的であり、同図（ｃ）に示すように、投薬時に、隔壁部５３ｂを開通させてそれぞれの薬液収容室５２ａ、５２ｂに収容された異なる薬液を混合し、この混合薬液を注出用口栓５４から注出することができるようになっている。
【０００３】
前記バッグ本体５１は、内面が熱接着性を有する柔軟な筒状体の両端部及び中間部を相互にヒートシールすることによって、二つの薬液収容室５２ａ、５２ｂ及び隔壁部５３ｂが形成されており、一端側のヒートシール縁５３ａに、一方の薬液収容室５２ａに連通する注出用口栓５４がヒートシールされている。
【０００４】
二つの薬液収容室５２ａ、５２ｂを区画している隔壁部５３ｂは、両端のヒートシール縁５３ａ、５３ｃよりも、シール強度が小さく、いずれか一方の薬液収容室５２ａまたは薬液収容室５２ｂを押えて内圧を高くすると、シール強度の小さい隔壁部５３ｂにシール破壊が発生して、シールされている柔軟性シート同士が離反し、両薬液収容室５２ａ、５２ｂが相互に連通するようになっており、これによって、二つの薬液収容室５２ａ、５２ｂに収容されている異なる薬液が混合されることになる。
【０００５】
投薬する際は、上述した作業を行って、二つの薬液収容室５２ａ、５２ｂにそれぞれ収容されている異なる薬液を混合しなければならないが、こういった二槽薬液バッグ５０を取り扱う看護士が単槽薬液バッグと勘違いすることにより、隔壁部５３ｂを開通させることなく、即ち、二つの薬液収容室５２ａ、５２ｂに収容されている異なる薬液を混合することなく、注出用口栓５４が装着されている一方の薬液収容室５２ａに収容された薬液だけが投与されるおそれがある。
【０００６】
このため、こういった二槽薬液バッグ５０では、同図に示すように、隔壁部５３ｂを開通させなければ簡単に取り外すことができない封緘材６０を、注出用口栓５４を含む一方の薬液収容室５２ａに装着することによって、封緘することが提案されている。
【０００７】
こういった封緘材６０は、熱収縮性フィルムによって、一端側が開放された袋状に形成されており、注出用口栓５４側から二槽薬液バッグ５０に被せて、その注出用口栓５４が装着された薬液収容室５２ａを概ね覆った状態で、加熱収縮させることにより、その薬液収容室５２ａに略密着させるようになっている。
【０００８】
【特許文献１】特開２００５−２１１５５８号公報
【発明の開示】
【発明が解決しようとする課題】
【０００９】
ところで、上述した封緘材６０によって二槽薬液バッグ５０を封緘した状態、即ち、封緘材６０を二槽薬液バッグ５０の注出用口栓５４側から薬液収容室５２ａに被せて加熱収縮させた状態では、同図（ａ）、（ｂ）に示すように、封緘材６０の開放端が薄い隔壁部５３ｂと膨らんでいる薬液収容室５２ａとの境界部付近に位置しており、その境界部分に沿って熱収縮した封緘材６０の開放端が膨らんでいる薬液収容室５２ａに引っかかることによって、二槽薬液バッグ５０から封緘材６０が脱落しないようになっているが、薬液収容室５２ａ部分は保形性に乏しいので、その薬液収容室５２ａ部分を順次変形させながら封緘材６０を注出用口栓５４側に引っ張ると、封緘材６０の開放端が薬液収容室５２ａ部分を通過することができ、無理をすれば、隔壁部５３ｂを開通させなくても、二槽薬液バッグ５０から封緘材６０を取り外して開封することができるという問題がある。
【００１０】
また、二槽薬液バッグ５０が封緘材６０によって封緘された二槽薬液バッグ封緘体５は、レトルト殺菌した後、図１１（ａ）、（ｂ）に示すように、隔壁部５３ｂで二つ折りし、図１２（ａ）、（ｂ）に示すように、ガスバリア性を有する外装袋７０に収容して密封包装した状態で保管、輸送しているが、二槽薬液バッグ封緘体５には、折り曲げられた隔壁部５３ｂに硬い角部ＥＰが形成されるので、輸送中の振動等によって、外装袋７０内で二槽薬液バッグ封緘体５０が動くと、その角部が外装袋７０のシール部近傍に繰り返し衝突し、その衝突の際の衝撃により、外装袋７０にピンホールが発生するおそれがある。
【００１１】
このため、流通過程で二槽薬液バッグ封緘体５が外装袋７０内で動きにくいように、小さめの外装袋７０を採用しているが、外装袋７０が小さいと、二槽薬液バッグ封緘体５を外装袋７０に収容する際、収容しずらいといった問題がある。
【００１２】
そこで、この発明の課題は、隔壁部を開通させない状態では開封することができず、しかも、外装袋内で動いても、外装袋にピンホールが発生しにくい複槽薬剤バッグ封緘体及びその包装体を提供することにある。
【課題を解決するための手段】
【００１３】
上記の課題を解決するため、請求項１に係る発明は、異なる薬剤が収容される複数の薬剤収容室及び隣接する前記薬剤収容室を相互に連通可能に連結する隔壁部を有する柔軟なバッグ本体と、このバック本体における一端側の前記薬剤収容室に装着された注出用口部材とを有し、投薬する際は、前記隔壁部を開通させてそれぞれの前記薬剤収容室に収容された異なる薬剤を混合し、前記バック本体における前記注出用口部材が装着されていない他端側の前記薬剤収容室の外側に形成された吊下穴に引っかけて吊り下げた状態で、混合薬剤を前記注出用口部材から注出するようになっている複槽薬剤バッグにおける一端側の前記薬剤収容室または他端側の前記薬剤収容室に、前記注出用口部材または前記吊下穴を覆うように、袋状または筒状の封緘材を被せて加熱収縮させた複槽薬剤バッグ封緘体において、前記複槽薬剤バッグにおけるいずれか一方の前記薬剤収容室に被せた前記封緘材が、前記隔壁部を越えて、反対側の前記薬剤収容室の一部を覆っていることを特徴とする複槽薬剤バッグ封緘体を提供するものである。
【００１４】
請求項２に係る発明は、請求項１に記載の複槽薬剤バッグ封緘体を、前記隔壁部で二つ折りした状態で、ガスバリア性を有する外装袋に密封包装したことを特徴としている。
【発明の効果】
【００１５】
以上のように、請求項１に係る発明の複槽薬剤バッグ封緘体は、いずれか一方の薬剤収容室に被せた封緘材が、隔壁部を越えて、反対側の薬剤収容室の一部を覆っているので、封緘材の開放端が、保形性の乏しい反対側の薬剤収容室を幅方向に押えて変形させた状態で熱収縮している。従って、そのように熱収縮した封緘材の開放端が、開通前の状態では硬く、変形しにくい幅広の隔壁部を通過することができず、複槽薬剤バッグが確実に封緘されることになる。
【００１６】
また、この複槽薬剤バッグ封緘体は、複槽薬剤バッグの隔壁部が封緘材によって完全に覆われているので、隔壁部分で二つ折りしても、折り曲げられた隔壁部に形成される角部が丸くなり、外装袋内で動いて外装袋のシール部近傍に衝突しても、外装袋にピンホールが発生し難い。従って、複槽薬剤バッグを動きにくくするために小さい外装袋に収容する必要がなく、ある程度の大きさを有する外装袋を採用することができるので、外装袋への収容作業性を向上させることができる。
【発明を実施するための最良の形態】
【００１７】
以下、実施の形態について図面を参照して説明する。図１は、この発明にかかる複槽薬剤バッグ封緘体の一実施形態である二槽薬液バッグ封緘体１を示している。この二槽薬液バッグ封緘体１は、同図（ａ）、（ｂ）に示すように、異なる薬液がそれぞれ収容された二つの薬液収容室１２ａ、１２ｂを相互に連通可能な隔壁部１３ｂを介して連結してなるバッグ本体１１と、このバック本体１１における一方の薬液収容室１２ａに装着された注出用口栓１４とからなる二槽薬液バッグ１０と、この二槽薬液バッグ１０における注出用口栓１４が装着された薬液収容室１２ａに、注出用口栓１４側から被せて加熱収縮させることによって封緘する袋状の封緘材２０とを備えており、封緘材２０は、隔壁部１３ｂを越えて、反対側の薬剤収容室１２ｂを１０ｍｍ以上覆っている。
【００１８】
前記バッグ本体１１は、ポリエチレン、ポリプロピレン等によって形成された厚さ０．０８〜１．０ｍｍの柔軟なシートを重ね合わせ、その両側縁部、両端部及び中間部をヒートシールすることによって、二つの薬液収容室１２ａ、１２ｂが形成されており、一方の薬液収容室１２ａの外側のヒートシール縁１３ａに、その薬液収容室１２ａに連通する注出用口栓１４がヒートシールされていると共に、他方の薬液収容室１２ａの外側のヒートシール縁１３ｃには、バッグ本体１１を吊り下げるための吊下穴１１ａが形成されている。
【００１９】
二つの薬液収容室１２ａ、１２ｂを区画している隔壁部１３ｂは、両端のヒートシール縁１３ａ、１３ｃよりも、シール強度が小さく、いずれか一方の薬液収容室１２ａまたは薬液収容室１２ｂを押えて内圧を高くすると、シール強度の小さい隔壁部１３ｂにシール破壊が発生して、シールされている柔軟性シート同士が離反し、両薬液収容室１２ａ、１２ｂが相互に連通するようになっており、これによって、二つの薬液収容室１２ａ、１２ｂに収容されている異なる薬液が混合されることになる。
【００２０】
前記注出用口栓１４は、バッグ本体１１を形成している柔軟性シートに対して熱接着性を有する樹脂によって形成された口栓本体１５と、この口栓本体１５の口部に嵌着されたゴム栓（図示せず）と、このゴム栓を覆うように、口栓本体１５の口部に剥離可能にヒートシールされた易剥離性積層フィルムによって形成された封緘シール１６とから構成されており、投薬時は、口栓本体１５から封緘シール１６を剥がして、輸液セットのびん針をゴム栓に刺通するようになっている。
【００２１】
前記封緘材２０は、ポリエチレン、ポリプロピレン、環状ポリオレフィン等のポリオレフィン系樹脂、ポリエチレンテレフタレート、ポリブチレンテレフタレート、ポリ乳酸等のポリエステル系樹脂、ポリ塩化ビニル、ポリスチレン、スチレンブタジエン共重合体等のポリスチレン系樹脂等からなる、主として一方向に延伸された、厚さ１２〜３００μｍ程度の単層または複層の延伸フィルムによって形成されており、図２（ａ）〜（ｃ）に示すように、この延伸フィルムをその主延伸方向に直交する方向に折り畳み、主延伸方向に所定間隔を開けて、その折返縁ＣＰから端縁ＯＰまで所定幅（ＳＷ＝２〜１０ｍｍ程度）でヒートシールした後、それぞれのヒートシール領域ＳＲの外縁からＬ＝１〜５ｍｍ程度外側の位置で切断することによって袋状に形成されている。従って、この封緘材２０を二槽薬液バッグ１０に被せて加熱すると、主として、二槽薬液バッグ１０の幅方向に収縮することになる。なお、ここにいう、「主として一方向に延伸（一軸延伸）された」とは、主延伸方向に２〜５倍、その直行方向に１〜１．５倍延伸されたものをいい、９０℃の熱水に１０秒間浸漬したときに、主収縮方向に２０％以上（例えば２０〜８０％）、他方向に−５〜１５％程度、好ましくは、−４〜５％収縮するものをいう。
【００２２】
以下、この二槽薬液バッグ封緘体１の製造方法を説明する。まず、図３（ａ）に示すように、主延伸方向に延びる長尺帯状の延伸フィルムＦ及び二槽薬液バッグ１０を送出しながら、同図（ｂ）に示すように、二槽薬液バッグ１０の注出用口栓１４、薬液収容室１２ａ及び薬液収容室１２ｂの一部を、幅方向に二つ折りした延伸フィルムＦによって挟み込み、同図（ｃ）に示すように、二槽薬液バッグ１０を挟み込んだ延伸フィルムＦにおける二槽薬液バッグ１０の送出方向の前後を順次所定幅でヒートシールすると共にそのヒートシール領域の外側を切断することにより、二槽薬液バッグ１０に被せた状態で袋状の封緘材２０が形成される。
【００２３】
続いて、二槽薬液バッグ１０に被せた封緘材２０を、図４に示す加熱装置４０によって加熱収縮させると、二槽薬液バッグ１０が封緘材２０によって封緘され、図１（ａ）、（ｂ）に示すような二槽薬液バッグ封緘体１が出来上がる。この加熱装置４０は、同図（ａ）〜（ｃ）に示すように、封緘材２０が被せられた二槽薬液バッグ１０（以下、封緘材被嵌バッグ１Ａという。）を寝かせた状態で搬送する搬送コンベア４１と、この搬送コンベア４１によって搬送される封緘材被嵌バッグ１Ａを、その隔壁部１３ｂ側を一部残すように、薬液収容室１２ａ側を押える押え手段４２と、封緘材被嵌バッグ１Ａの隔壁部１３ｂ付近を加熱する加熱手段４３とから構成されている。
【００２４】
前記押え手段４２は、搬送コンベア４１による封緘材被嵌バッグ１Ａの搬送速度と同一速度で搬送経路に沿って循環移動する、ベルトモータ４２ａ及び従動プーリ４２ｂと、このベルトモータ４２ａ及び従動プーリ４２ｂに掛け渡された無端状の押えベルト４２ｃとを備えており、この押えベルト４２ｃによって、二槽薬液バッグ１０における薬液収容室１２ａ部分を押えながら、封緘材被嵌バッグ１Ａを搬送することができるようになっている。
【００２５】
前記加熱手段４３は、搬送コンベア４１の上方に設置された、先端に吹出ノズル４３ｂを有する複数の熱風機ユニット４３ａを備えており、この吹出ノズル４３ｂから１２０〜１５０℃程度の熱風を封緘材被嵌バッグ１Ａにおける隔壁部１３ｂに吹き付けることによって、封緘材被嵌バッグ１Ａにおける隔壁部１３ｂ付近を局部的に加熱するようになっている。
【００２６】
従って、搬送コンベア４１によって搬送される封緘材被嵌バッグ１Ａは、その封緘材２０における押えベルト４２ｃによって覆われている部分がほとんど熱収縮することがなく、主として、封緘材２０における隔壁部１３ｂ及びその周辺部に対応する部分だけが熱収縮することになる。このとき、封緘材２０の開放端は、図１（ａ）に示すように、保形性の乏しい薬剤収容室１２ｂを幅方向に押えて変形させた状態で熱収縮しているが、硬く、保形性の高い隔壁部１３ｂは変形することなく、隔壁部１３ｂに沿うような状態で封緘材２０が熱収縮している。
【００２７】
また、この加熱装置４０では、封緘材被嵌バッグ１Ａの片面側だけを加熱しているので、封緘材２０は加熱される片面側だけが熱収縮することになる。このため、図５に示すように、封緘材２０は、加熱領域において、その両側縁部（ヒートシール領域ＳＲ及びその外側の未シール部分）ＳＰ、ＳＰが、二槽薬液バッグ１０の幅方向の中央部側に引っ張られて二槽薬液バッグ１０の加熱面側に回り込み、二槽薬液バッグ１０における両側のヒートシール縁の端面から外側に張り出すことなく、加熱される片面から突出した状態となっている。
【００２８】
以上のように、この二槽薬液バッグ封緘体１では、注出用口栓１４側から一方の薬剤収容室１２ａに被せた封緘材２０が、隔壁部１３ｂを越えて、反対側の薬剤収容室１２ｂの一部を覆っており、封緘材２０の開放端が、保形性の乏しい反対側の薬剤収容室１２ｂを幅方向に押えて変形させた状態で熱収縮しているので、そのように熱収縮した封緘材２０の開放端が、開通前の状態では硬く、変形しにくい幅広の隔壁部１３ｂを通過することができず、二槽薬液バッグ１０が封緘材２０によって確実に封緘されることになる。
【００２９】
また、この封緘材２０は、形成している延伸フィルムの主延伸方向が二槽薬液バッグ１０の幅方向（横方向）に向いているので、横方向には容易に破断することができるが、縦方向には破断しにくくなっている。従って、隔壁部１３ｂを開通させてそれぞれの薬液収容室１２ａ、１２ｂに収容された異なる薬液を混合することなく、封緘材２０を、その開口端の端縁から縦方向に破断して取り外そうとしても、簡単に取り外すことができず、封緘性能が向上する。
【００３０】
また、封緘材２０は、その片面側における隔壁部１３ｂ及びその周辺部に対応する部分だけが熱収縮しているので、封緘材２０に図柄や文字等が印刷されていても、隔壁部１３ｂ及びその周辺部に対応する部分以外は、印刷された図柄や文字等がほとんどひずむことがない。
【００３１】
この二槽薬液バッグ封緘体１は、レトルト殺菌した後、図６に示すように、隔壁部１３ｂで二つ折りし、図７に示すように、脱酸素剤及び酸素検知剤と共に、ガスバリア性を有する外装袋３に収容して密封包装した状態で保管、輸送される。
【００３２】
前記外装袋３は、図８に示すように、耐衝撃性、耐ピンホール性に優れた厚さ２５μｍの二軸延伸ポリアミドフィルム３１、酸素の通過を遮断するガスバリア性を有する厚さ１５μｍの酸化けい素蒸着二軸延伸ポリエチレンテレフタレートフィルム３２、耐衝撃性、耐ピンホール性に優れた厚さ１５μｍのポリアミドフィルム３３及び熱接着性を有する厚さ６０μｍの無延伸のポリプロピレンフィルム３４をドライラミネートした柔軟性シートＳによって形成された平袋であり、図７に示すように、ヒートシールされた上縁及び下縁には、開封用のノッチ３ａが形成されている。なお、図７における網掛け表示部分がヒートシール部分を示している。
【００３３】
上述した二槽薬液バッグ封緘体１は、二槽薬液バッグ１０の隔壁部１３ｂが封緘材２０によって完全に覆われているので、隔壁部１３ｂで二つ折りしても、折り曲げられた隔壁部１３ｂに形成される角部ＥＰが丸くなり、外装袋３内で動いて外装袋３の両側部のヒートシール部分の近傍に衝突しても、外装袋３にピンホールが発生し難い。従って、従来のように、二槽薬液バッグ封緘体を動きにくくするために小さい外装袋に収容する必要がなく、ある程度の大きさを有する外装袋３を採用することができるので、外装袋３への収容作業性を向上させることができる。
【００３４】
特に、この二槽薬液バッグ封緘体１は、図１（ａ）に示すように、熱収縮していない封緘材２０の閉塞端側が熱収縮している開口端側に比べて幅広になっているので、外装袋３内で二槽薬液バッグ封緘体１が動いたとしても、封緘材２０の幅広部よりも内側に位置している角部ＥＰが外装袋３の両側部のヒートシール部分の近傍に衝突し難いという効果も得られる。
【００３５】
なお、上述した二槽薬液バッグ封緘体１は、封緘材２０を、注出用口栓１４側から二槽薬液バッグ１０に被嵌しているが、これに限定されるものではなく、例えば、図９（ａ）、（ｂ）に示す二槽薬液バッグ封緘体２のように、封緘材２０を、吊下穴１１ａ側から二槽薬液バッグ１０に被嵌することも可能である。ただし、薬剤収容室１２ｂに被せた封緘材２０が、隔壁部１３ｂを越えて、反対側の薬剤収容室１２ａを１０ｍｍ以上覆うようにしておく必要があることは言うまでもない。この場合、隔壁部１３ｂを開通させてそれぞれの薬液収容室１２ａ、１２ｂに収容された異なる薬液を混合することによって、二槽薬液バッグ１０から封緘材２０を取り外さなければ、二槽薬液バッグ１０を吊り下げることができないので、バッグ本体１１の隔壁部１３ｂを開通させずに、注出用口栓１４が装着されている一方の薬液収容室１２ａに収容された薬液だけを投与するといった、不適切な取り扱いを間接的に防止することができる。
【００３６】
また、上述した実施形態では、柔軟性シートを重ね合わせて、周縁部及び中間部をヒートシールすることによって二つの薬液収容室１２ａ、１２ｂが形成された二槽薬液バッグ１０について説明したが、これに限定されるものではなく、柔軟な筒状体の両端部及び中間部を扁平状態に重ね合わせてヒートシールすることによって、二つの薬液収容室が形成された二槽薬液バッグについても本発明を適用することができる。
【００３７】
また、上述した各実施形態では、異なる薬液がそれぞれ収容された二つの薬液収容室１２ａ、１２ｂを有する二槽薬液バッグ１０に封緘材２０が装着された二槽薬液バッグ封緘体１について説明したが、これに限定されるものではなく、一方の薬剤収容室に液剤が収容されていれば、他方の薬剤収容室には、粉末剤または固形剤が収容されていてもよい。
【００３８】
また、上述した実施形態では、単一の柔軟性シートによって形成された１重袋からなる外装袋３を使用しているが、これに限定されるものではなく、複数の柔軟性シートを剥離層を介してドライラミネートした２重袋や多重袋を採用してもよい。
【００３９】
また、上述した実施形態では、袋状に形成された封緘材２０によって二槽薬液バッグ１０を封緘するようにしているが、これに限定されるものではなく、両端が開放された筒状の封緘材を使用することも可能である。ただし、こういった筒状の封緘材を使用する場合は、注出用口栓１４を覆うように被せて全体を加熱することで、封緘材と注出用口栓１４との間に指が入らないか、指が入りにくくなるような状態まで、封緘材における注出用口栓１４側の開口端を大きく収縮させ、封緘シール１６を容易に剥がすことができなくすることによって封緘性能を確保する必要がある。
【図面の簡単な説明】
【００４０】
【図１】（ａ）はこの発明にかかる複槽薬剤バッグ封緘体の一実施形態である二槽薬液バッグ封緘体を示す平面図、（ｂ）は同上の二槽薬液バッグ封緘体を示す側面図である。
【図２】（ａ）は同上の封緘材を示す平面図、（ｂ）は（ａ）のＹ−Ｙ線に沿った断面図、（ｃ）は（ａ）のＺ−Ｚ線に沿った断面図である。
【図３】（ａ）〜（ｃ）は封緘材の形成・被嵌方法を説明するための工程図である。
【図４】（ａ）は二槽薬液バッグに被せた封緘材を加熱する加熱装置を示す概略平面図、（ｂ）は同上の加熱装置を示す概略側面図、（ｃ）は同上の加熱装置を示す概略正面図である。
【図５】図１（ａ）のＸ−Ｘ線に沿った断面図である。
【図６】同上の二槽薬液バッグ封緘体を折り畳んだ状態を示す正面図である。
【図７】折り畳んだ同上の二槽薬液バッグ封緘体を外装袋に密封包装した包装体を示す正面図である。
【図８】同上の外装袋を形成している柔軟性シートを示す断面図である。
【図９】（ａ）は他の実施形態である二槽薬液バッグ封緘体を示す平面図、（ｂ）は同上の二槽薬液バッグ封緘体を示す側面図である。
【図１０】（ａ）は従来の二槽薬液バッグ封緘体を示す平面図、（ｂ）は同上の二槽薬液バッグ封緘体を示す側面図、（ｃ）は同上の二槽薬液バッグ封緘体から封緘材を取り外す方法を説明するための説明図である。
【図１１】（ａ）は同上の二槽薬液バッグ封緘体を折り畳んだ状態を示す正面図、（ｂ）は同上の二槽薬液バッグ封緘体を折り畳んだ状態を示す背面図である。
【図１２】（ａ）は折り畳んだ同上の二槽薬液バッグ封緘体を外装袋に密封包装した包装体を示す正面図、（ｂ）は同上の包装体を示す背面図である。
【符号の説明】
【００４１】
１、２  二槽薬液バッグ封緘体（複槽薬剤バッグ封緘体）
１Ａ  封緘材被嵌バッグ
３  外装袋
３ａ  ノッチ
１０  二槽薬液バッグ（複槽薬剤バッグ）
１１  バッグ本体
１１ａ  吊下穴
１２ａ、１２ｂ  薬液収容室（薬剤収容室）
１３ａ、１３ｃ  ヒートシール縁
１３ｂ  隔壁部
１４  注出用口栓（注出用口部材）
１５  口栓本体
１６  封緘シール
２０  封緘材
３１  二軸延伸ポリアミドフィルム
３２  酸化けい素蒸着二軸延伸ポリエチレンテレフタレートフィルム
３３  ポリアミドフィルム
３４  無延伸ポリプロピレンフィルム
４０  加熱装置
４１  搬送コンベア
４２  押え手段
４３  加熱手段
Ｆ  延伸フィルム
Ｓ  柔軟性シート
ＣＰ  折返縁
ＥＰ  角部
ＯＰ  端縁
ＳＲ  ヒートシール領域
【図１】
2008284125.tif 000003
【図２】
2008284125.tif 000004
【図３】
2008284125.tif 000005
【図４】
2008284125.tif 000006
【図５】
2008284125.tif 000007
【図６】
2008284125.tif 000008
【図７】
2008284125.tif 000009
【図８】
2008284125.tif 000010
【図９】
2008284125.tif 000011
【図１０】
2008284125.tif 000012
【図１１】
2008284125.tif 000013
【図１２】
2008284125.tif 000014